(57)【特許請求の範囲】
【請求項１】
接合レンズと、該接合レンズを保持する保持部材とを有する光学系であって、前記接合レンズの像側レンズの外径は、前記接合レンズの物体側レンズの外径よりも大きく、
前記像側レンズは、前記光学系の光軸からの高さが前記物体側レンズの外径よりも高い領域に、前記接合レンズの光軸方向の位置を決定するための位置決め部を有し、前記保持部材は、前記位置決め部を物体側と像側から挟み込むことによって前記接合レンズを保持し、
前記位置決め部は、前記光軸方向に間隔を隔てて設けられた２つの面を有し、
像面から前記接合レンズの最も物体側のレンズ面までの光軸上の距離をＬ、前記光学系の焦点距離をｆ、前記位置決め部が有する２つの面の光軸方向の間隔をｄｏｕｔ、前記接合レンズの中心肉厚をｄｃｅｎとするとき、
０．２  ＜  Ｌ／ｆ  ＜  １．０
０．０５  ＜  ｄｏｕｔ／ｄｃｅｎ  ≦ ０．２８
なる条件式を満足することを特徴とする光学系。
【請求項２】
前記光学系の最も物体側のレンズ面から像面までの光軸上の距離をＬｔｏｔａｌとするとき、
０．４  ＜  Ｌｔｏｔａｌ／ｆ  ＜  １．２
なる条件式を満足することを特徴とする請求項１に記載の光学系。
【請求項３】
前記接合レンズは正レンズと負レンズより成り、該正レンズの光入出射面のうち、小さい方の径をｄｅａ、該光入出射面の径の最周辺における光軸方向の厚みをｄｃｏｖとするとき、
０．０２  ＜  ｄｃｏｖ／ｄｅａ  ＜  ０．４０
なる条件式を満たすことを特徴とする請求項１または２に記載の光学系。 
【請求項４】
前記接合レンズは、物体側より像側へ順に、正レンズと負レンズより成ることを特徴とする請求項１乃至３のいずれか１項に記載の光学系。
【請求項５】
前記光学系は、物体側より像側へ順に、正の屈折力の第１レンズ群、フォーカシングに際して光軸上を移動する負の屈折力の第２レンズ群、正の屈折力の第３レンズ群より成ることを特徴とする請求項１乃至４のいずれか１項に記載の光学系。
【請求項６】
前記接合レンズは、前記第２レンズ群に含まれることを特徴とする請求項５に記載の光学系。
【請求項７】
物体側より像側へ順に、正の屈折力の第１レンズ群、負の屈折力の第２レンズ群、正の屈折力の第３レンズ群、負の屈折力の第４レンズ群、正の屈折力の第５レンズ群、負の屈折力の第６レンズ群、正の屈折力の第７レンズ群より構成され、前記第２レンズ群と前記第５レンズ群と前記第７レンズ群は、ズーミングのためには不動であり、前記第１レンズ群と前記第３レンズ群と前記第４レンズ群と前記第６レンズ群がズーミングに際して移動し、前記接合レンズが前記第２レンズ群に配置されていることを特徴とする請求項１乃至６のいずれか１項に記載の光学系。
【請求項８】
前記保持部材は、レンズ保持枠と押さえ環よりなることを特徴とする請求項１乃至７のいずれか１項に記載の光学系。
【請求項９】
前記保持部材は、レンズ保持枠の突き当て部と、前記レンズ保持枠の加締め爪よりなることを特徴とする請求項１乃至７のいずれか１項に記載の光学系。
【請求項１０】
請求項１乃至９のいずれか１項に記載の光学系と、該光学系によって形成された像を受光する固体撮像素子を有することを特徴とする光学機器。
【発明の詳細な説明】
【技術分野】
【０００１】
本発明は、光学系及びそれを有する光学機器に関し、例えば一眼レフカメラ、デジタルスチルカメラ、デジタルビデオカメラ、ＴＶカメラ等の撮影光学系に好適なものである。
【背景技術】
【０００２】
近年、デジタル一眼レフカメラ等の撮像装置では、撮像素子の多画素化が進んでおり、それに伴い撮影光学系に要求される光学性能も、より厳しいものになっている。そのため、光学設計性能をより向上するための手段や、レンズ保持精度を向上してレンズ位置誤差による性能劣化を軽減する方法が、従来より研究されている(特許文献１、２)。また、樹脂材料を用いたレンズに関しては、光弾性係数やヤング率が非常に大きいため、レンズを保持する際、保持機構からの応力により面の変形や複屈折が生じ、結像性能が劣化し易い。
【０００３】
そのため、特許文献1や特許文献2では、樹脂レンズを保持する際に、レンズ有効部内に応力が加わることを回避する方法についても報告されている。ここで、遠距離の被写体を拡大実写する、長焦点距離の望遠レンズについて着目する。望遠レンズは、遠方の被写体をより細部まで高精細に拡大撮影することが求められるため、光学性能に対する要求が他の焦点距離域のレンズに比べて非常に高い。一方で、望遠レンズは携帯時や撮影時の利便性のために、小型軽量化も同時に強く要望されている。
【０００４】
そこで従来より、小型軽量化と高性能を両立するレンズタイプとして、物体側より順に正の屈折力の第１レンズ群、負の屈折力の第２レンズ群の順に配置する所謂テレフォトタイプの光学系が数多く報告されている(特許文献３)。特許文献３では、テレ比（焦点距離に対する全長の比率）が１より小さく、かつその光学性能を回折限界に迫るまで向上した望遠レンズが開示されている。
【先行技術文献】
【特許文献】
【０００５】
【特許文献１】特開平１０−２２７９６１号公報
【特許文献２】特開平１１−０５２１０８号公報
【特許文献３】特開平０５−０２７１６３号公報
【発明の概要】
【発明が解決しようとする課題】
【０００６】
特許文献3をはじめとする通常の望遠レンズでは、小型軽量化を達成するために、光学性能を劣化させない程度に各レンズのパワーを強め、レンズ全長やレンズ有効系を小さくしている。そのためこのような望遠レンズは、製造誤差が生じた時に性能劣化が生じ易く、高精細な光学系を得るためには、いかに製造誤差を抑えるかが重要なポイントの1つになっている。光学系を1枚の薄肉系とした時、軸上光束は無限遠方からf/FNOの幅の平行光束として入射し、薄肉系により収束性のパワーを得て、光学系の焦点距離分だけ離れた位置に結像する。
【０００７】
通常の厚肉光学系においても同様であり、各レンズ要素のパワーに応じて発散と収束を繰り返しはするが、基本的には無限遠方からの平行光束が、光学系の後側主点位置から焦点距離分だけ離れた像面に向かって収束する。そのため、図１０に示すように、テレ比が1より小さい望遠レンズ（以下テレフォトタイプと呼ぶ）では、後側主点位置が光学系の最も物体側のレンズより物体側にあるため、軸上光線高hは、最も物体側のレンズで最も大きくなり、像面に向かって収束していく。そのため、絞り付近から物体側のレンズ殆どで、レンズの有効範囲に対して軸上光束が通る面積が、大部分となっている。
【０００８】
また、全系の小型軽量化を求めた際、各レンズの外径は光線有効径に対して最小限のレンズ保持部を残し、極力小さく設計される。レンズの瞳周辺部の面精度の部分的劣化は、画面全体の劣化に影響を及ぼすため、絞り付近から物体側のレンズで周辺部の研磨精度が低下した場合、軸上光束における瞳最周辺付近の光線の結像位置に誤差が生じ、画面全体がフレア掛かった画像になってしまう。
【０００９】
以上のように、テレフォトタイプの望遠レンズは他のレンズタイプに比べ、各レンズの周辺部の面精度が結像性能に大きく関わるため、厳しい公差管理を要している。ここで本発明者は、より高解像のレンズを求めた場合、従来プラスチック材料において懸念されていた、レンズを保持する際の面変形や複屈折の影響が、硝子材料においても無視できない量になると考えた。材料に単位長の変形を与えるのに必要な応力量を表すヤング率は、例えば樹脂材料のアクリルが3.2Mpaなのに対し、硝子材料が商品名BK7で80MPa程度と、20倍以上となっており、応力による面変形の影響は、十分無視できる量と言える。
【００１０】
しかし、単位応力に対する複屈折量を表す光弾性定数は、アクリルが6×10-12Ｐａ-1に対し、硝子材料が商品名BK7で2.2×10-12Ｐａ-1と、1/3程度である。それは即ち、樹脂材料の複屈折により光学性能が劣化する空間周波数域の3倍の空間周波数では、硝子材料の複屈折も同程度の光学性能劣化を及ぼすことを意味し、多画素化が進む昨今の要求性能に対し、決して無視できる量ではないと考えた。その観点に立った時、本発明者は、2枚以上の硝子が接着される接合レンズを保持する際に、光学性能を著しく劣化させる複屈折が発生している問題に行き着いた。
【００１１】
そこで本発明では、硝子同士の接合レンズを含む光学系で発生する複屈折による光学性能の劣化を軽減する方法を提案する。
【００１２】
この他本発明は、接合レンズをレンズ保持枠に保持する際に不要な応力がレンズに付加されないようにし、応力による材料の複屈折の発生を軽減し、高い光学性能が容易に得られる光学系及びそれを有する光学機器の提供を目的とする。
【課題を解決するための手段】
【００１３】
本発明の光学系は、接合レンズと、該接合レンズを保持する保持部材とを有する光学系であって、前記接合レンズの像側レンズの外径は、前記接合レンズの物体側レンズの外径よりも大きく、
前記像側レンズは、前記光学系の光軸からの高さが前記物体側レンズの外径よりも高い領域に、前記接合レンズの光軸方向の位置を決定するための位置決め部を有し、前記保持部材は、前記位置決め部を物体側と像側から挟み込むことによって前記接合レンズを保持し、
前記位置決め部は、前記光軸方向に間隔を隔てて設けられた２つの面を有し、
像面から前記接合レンズの最も物体側のレンズ面までの光軸上の距離をＬ、前記光学系の焦点距離をｆ、前記位置決め部が有する２つの面の光軸方向の間隔をｄｏｕｔ、前記接合レンズの中心肉厚をｄｃｅｎとするとき、
０．２  ＜  Ｌ／ｆ  ＜  １．０
０．０５  ＜  ｄｏｕｔ／ｄｃｅｎ  ≦ ０．２８
なる条件式を満足することを特徴としている。
【発明の効果】
【００１４】
本発明によれば、接合レンズをレンズ保持枠に保持する際に不要な応力がレンズに付加されないようにし、応力による材料の複屈折の発生を軽減し、高い光学性能が容易に得られる光学系が得られる。
【図面の簡単な説明】
【００１５】
【図１】実施例１の光学系の断面図
【図２】実施例１の光学系をｍｍ単位で表した時の、物体距離無限時における収差図
【図３】実施例１において、本発明を実施した接合レンズの形状と、レンズ保持機構の断面図
【図４】実施例２の光学系の断面図
【図５】実施例２の光学系をｍｍ単位で表した時の、物体距離無限時における収差図
【図６】実施例２において、本発明を実施した接合レンズの形状と、レンズ保持機構の断面図
【図７】実施例３の光学系の断面図
【図８】（Ａ），（Ｂ）実施例３の光学系をｍｍ単位で表した時の、広角端と望遠端の物体距離無限時における収差図
【図９】実施例３において、本発明を実施した接合レンズの形状と、レンズ保持機構の断面図
【図１０】テレ比が１より小さい望遠レンズでの軸上光束に関する説明図
【発明を実施するための形態】
【００１６】
本発明の光学系は、少なくとも２つのレンズを接合した接合レンズを含む。そして接合レンズの少なくとも２つのレンズのうち像側レンズの外径は、物体側レンズよりも外径が大きく、そして像側レンズの外周部には光軸方向の位置決めを行う位置決め部を有している。像側レンズの位置決め部は光軸方向に隔てて２つ設けられており、２つの位置決め部は平行な平面部より成っている。少なくとも２つのレンズの材料は硝子である。以下、本発明の実施例について、図面を参照しながら説明する。
【００１７】
図１は本発明の実施例１の光学系のレンズ断面図、図２は実施例１の無限遠物体にフォーカスしているときの収差図である。図３は実施例１におけるレンズ保持機構の説明図である。実施例１の光学系は望遠レンズである。図４は本発明の実施例２の光学系のレンズ断面図、図５は実施例２の無限遠物体にフォーカスしているときの収差図である。図６は実施例２におけるレンズ保持機構の説明図である。実施例２の光学系は望遠レンズである。図７は本発明の実施例３の光学系のレンズ断面図、図８（Ａ），（Ｂ）は実施例３の広角端と望遠端において無限遠物体にフォーカスしているときの収差図である。図９は実施例３におけるレンズ保持機構の説明図である。実施例３の光学系は望遠型のズームレンズである。
【００１８】
それぞれの収差図では、左から順に、球面収差（軸上色収差）、非点収差、歪曲、倍率色収差を表している。球面収差と倍率色収差を示す図において、実線はｄ線（587.6nm）、破線はｇ線（435.8nm）を表している。また、非点収差を示す図において、実線はｄ線のサジタル方向、破線はｄ線のメリディオナル方向を表している。また、歪曲を示す図は、d線における歪曲を表している。ＦｎｏはＦナンバー、ωは半画角を示している。各実施例の光学系はビデオカメラやデジタルカメラ等の光学機器に用いられる撮影レンズ系である。レンズ断面図において、左方が物体側（前方）で右方が像側（後方）である。尚、各実施例の光学系をプロジェクター等の投射レンズとして用いるときは、左方がスクリーン、右方が被投射画像となる。
【００１９】
レンズ断面図において、ｉは物体側からのレンズ群の順番を示し、Ｌｉは第ｉレンズ群である。ＳＰは開口絞りであり。開口絞りＳＰは実施例１，２においては第３レンズ群Ｌ３の物体側に配置している。実施例３では第３レンズ群Ｌ３の像側に配置し、ズーミングに際して第３レンズ群Ｌ３とともに移動する。
【００２０】
ＩＰは像面であり、ビデオカメラやデジタルスチルカメラの撮影光学系として使用する際には光学系によって形成された像を受光するＣＣＤセンサやＣＭＯＳセンサ等の固体撮像素子（光電変換素子）の撮像面が置かれる。又、銀塩フィルム用のカメラの撮像光学系として使用する際にはフィルム面に相当する。
【００２１】
本発明の接合レンズを有する光学系において、像面から接合レンズの少なくとも２つのレンズのうち物体側頂点までの距離をＬ、光学系の焦点距離をｆとする。このとき、接合レンズの少なくとも２つのレンズは光路中の
０．２  ＜  Ｌ／ｆ  ＜  １．０    ・・・（１）
なる条件式を満足する位置に配置されている。
【００２２】
接合レンズは２つ以上のレンズを接合したものでも良い。以下簡単のため本発明の光学系において材料が硝子より成る２つのレンズを接合した接合レンズを例にとり、接合レンズより発生する複屈折による光学性能の劣化を軽減することができる原理について、説明する。異なる硝子材料よりレンズが接着剤で接着された接合レンズでは、各材料の線膨張係数が異なる。このため、接着剤が硬化する際に、硝子周辺部に応力が発生する。接合レンズは光学系より発生する色収差を軽減するために、光学系において不可欠である。接合レンズは接合時の応力によりレンズ有効部内に複屈折が発生し、光学性能に影響を及ぼすことが知られている。
【００２３】
本発明者は、接合レンズにおいて接着剤の硬化時にレンズ周辺部で発生する応力に加え、更にその部分に保持機構（保持部材）からの応力が掛かった時、より大きな複屈折が生じ、光学性能が劣化することを見出した。
【００２４】
特に、光学系中の条件式（１）を満たす位置（光路中）にある接合レンズでは、軸上光線高ｈが光線有効径の９割以上となる。このため硝子周辺部において接着剤の硬化時に複屈折が発生した際、軸上光束の瞳周辺を通る光線の結像位置がばらつき易く、光学性能が大きく劣化してくる。接合レンズの光学系中の位置が条件式（１）の上限値又は下限値を逸脱する位置では、レンズ有効径を決定する光線が、それぞれ軸外光束の下線、上線であり、軸上光線高ｈがレンズ外径に対して十分内周側となる。
【００２５】
従来、接合レンズのレンズ保持枠における保持方法では、接合レンズの両側を挟み込むように押さえていた。または、有効径が小さい像側のレンズの外径を物体側のレンズの外径より小さくし、物体側のレンズのみで押さえていた。前者の場合、特にレンズ周辺部で肉厚が薄くなる正レンズ側に、接着剤の硬化による応力と保持機構からの応力が２重で加わり、正レンズの材料の複屈折が大きく発生していることが分かった。後者の場合、物体側のレンズに保持機構からの応力が集中するため、接着剤の硬化による応力と併せて物体側のレンズの材料に大きな複屈折が発生する。更に、物体側のレンズは軸上光線高ｈが大きくなるため、複屈折の影響が瞳周辺光束に対してより顕著に現れていた。
【００２６】
そこで各実施例の接合レンズのレンズ保持枠では、像側レンズの外径を物体側レンズの外径よりも大きくし、像側レンズのみでレンズ保持枠に保持している。これにより、保持機構からの応力を軸上光線高ｈが小さい像側レンズに集中させ、レンズ周辺光束（瞳周辺光束）への複屈折の影響を軽減している。それと同時に、像側レンズの光線有効径からレンズ保持部までの距離を広げて、応力による複屈折の影響が光線有効系内に極力及ばないようにしている。このような構成をとることにより、各実施例の光学系では硝子同士のレンズを接合した接合レンズに保持機構から応力が掛かった際の、光学性能の劣化を軽減している。更に好ましくは条件式（１）の数値範囲を次の如く設定するのが良い。
【００２７】
０．２５  ＜  Ｌ／ｆ  ＜  ０．９０    ・・・（１ａ）
以上、本発明によれば、硝子同士の接合レンズを含む光学系で発生する複屈折による光学性能の劣化を軽減することができる。
【００２８】
本発明の光学系において、更に好ましくは、次の諸条件のうちの１以上を満足するのが良い。光学系の最も物体側の面頂点から像面までの距離をＬｔｏｔａｌとする。２つの位置決め部の平面部の光軸方向の長さをｄｏｕｔ、接合レンズの中心肉厚をｄｃｅｎとする。少なくとも２つのレンズは正レンズと負レンズより成り、正レンズの光入出射面のうち、小さい方の径をｄｅａ、光入出射面の径の最周辺における光軸方向の厚みをｄｃｏｖとする。このとき
０．４  ＜  Ｌｔｏｔａｌ／ｆ  ＜  １．２        ・・・（２）
０．０５  ＜  ｄｏｕｔ／ｄｃｅｎ  ≦ ０．２８  ・・・（３）
０．０２  ＜  ｄｃｏｖ／ｄｅａ  ＜  ０．４０    ・・・（４）
なる条件式のうち１以上を満足するのが良い。
【００２９】
テレ比が条件式（２）を満たす範囲にある、小型軽量化と高性能の両立を図った光学系においては、各レンズ要素のパワーが強くなる。この結果、軸上光束の瞳周辺を通る光線の結像位置が、よりばらつき易くなる。このため、各実施例の光学系では条件式（２）を満足することがより好ましい。
【００３０】
条件式（２）の下限値を逸脱すると、各レンズ要素のパワーが強くなり過ぎ、良好な光学性能を得ることが困難になる。
条件式（２）の上限値を逸脱すると、各レンズ要素のパワーが弱くなりすぎて、軸上光束のレンズ周辺を通る光線の結像位置が、ばらつきにくくなり、また全系の小型軽量化が困難になる。
【００３１】
次に像側レンズは、光学系の光軸からの高さが物体側レンズの外径よりも大きい箇所（外周部）（領域）にある保持部分（位置決め部）を、光軸方向で幅が狭い２面の平行な平面部とすることで、硝子重量を増加することなく、レンズを保持している。また、平行な平面部を光軸方向の両側から挟み込むように像側レンズを保持することで、硝子の内径方向への応力成分が小さくなり、光線有効部内の複屈折の発生をより軽減している。像側レンズの平行な平面部の幅（長さ）は、条件式（３）を満たすことが好ましい。条件式（３）の上限値を逸脱すると、平行平面部の幅が広くなり過ぎ、硝子部品が大型化及び重量化してしまう。条件式（３）の下限値を逸脱すると、平行平面部の幅が狭くなり過ぎ、加工が困難である上に、保持応力により破損が生じ易いため、好ましくない。
【００３２】
更に本発明の光学系では、接合レンズを構成する正レンズにおいて、光線有効部最周辺の厚みを、硝子重量が著しく増加しない程度に厚くすることで、接着剤が硬化する際の硝子周辺部への応力による複屈折発生量を小さくできるようにしている。応力により発生する複屈折量は、光弾性係数と材料の厚みに比例するため、レンズ周辺部で厚みが薄くなる正レンズにおいて、より大きな複屈折が発生し易いためである。具体的には条件式（４）を満たすようにしている。条件式（４）の上限値を逸脱した場合、硝子部品が重量化するため好ましくない。また、条件式（４）の下限値を逸脱した場合、正レンズのレンズ周辺部での複屈折量が増えるため、光学性能が劣化してくる。更に好ましくは条件式（２）〜（４）の数値範囲を次の如く設定するのが良い。
【００３３】
０．５  ＜  Ｌｔｏｔａｌ／ｆ  ＜  １．０        ・・・（２ａ）
０．１０  ＜  ｄｏｕｔ／ｄｃｅｎ  ≦ ０．２８  ・・・（３ａ）
０．０３  ＜  ｄｃｏｖ／ｄｅａ  ＜  ０．３０    ・・・（４ａ）
次に、物体側から像側へ、正レンズ，負レンズより成る接合レンズにおいては、正レンズにおいてレンズ周辺部の肉厚が薄く複屈折が発生し易い。各実施例においては正レンズへの、軸上光線高ｈが大きくなるため、正レンズ，負レンズの順の接合レンズに本発明に係るレンズ保持方法を実施することが、より効果的である。
【００３４】
次に、物体側より像側へ順に、正の屈折力の第１レンズ群、フォーカシングで駆動する負の屈折力の第２レンズ群を有するテレフォトタイプの光学系では、小型軽量化と高性能を両立し易い。その反面、大部分のレンズが条件式（１）を満たす位置にあるため、レンズ最周辺光束の結像位置にばらつきが生じ易い。そのため、このテレフォトタイプの光学系に本発明に係るレンズ保持方法を実施することが、より効果的である。テレフォトタイプの光学系では、無限遠物体から近距離物体へのフォーカシングの際、負のパワーの第２レンズ群が像側に駆動するため、球面収差がオーバー側に変動し易い。そのため、第２レンズ群よりも軸上光線高ｈの大きくなる物体側に正レンズを配置すると、アンダー側の補正効果が得られる。このため、第２レンズ群は物体側から像側へ正レンズ，負レンズの接合レンズとすることが好ましい。
【００３５】
尚、本発明に係る接合レンズは、２枚のレンズの接合に限ったものではなく、その像側または物体側に更に１枚以上のレンズ接合された、３枚以上の接合レンズであっても、同様の効果が得られる。
【００３６】
本発明は、上述のような光学系を有する光学機器（例えば撮像装置、画像投影装置やその他の光学機器）に、種々適用可能である。
【００３７】
［実施例１］
図１に示す実施例１の光学系は、物体側より像側へ順に、正の屈折力の第１レンズ群Ｌ１、フォーカシングの際に光軸上を移動する負の屈折力の第２レンズ群Ｌ２、正の第３レンズ群Ｌ３より構成される、テレフォトタイプの望遠レンズである。実施例１では、Ｌｔｏｔａｌ／ｆ＝０．９４と条件式（２）を満たしており、小型軽量化を図っている。第２レンズ群Ｌ２を構成する接合レンズＣ１、及び第３レンズ群Ｌ３内の接合レンズＣ２は、本発明に係る方法でレンズ保持枠に保持されている。
【００３８】
接合レンズＣ１は光路中のＬ／ｆ＝０．５７の位置に配置され、接合レンズＣ２は光路中のＬ／ｆ＝０．３２の位置に配置されており、共に条件式（１）を満たしている。そのため、それぞれの接合レンズＣ１，Ｃ２において、軸上光束のレンズ周辺部を通る光線の結像位置がばらつき易い条件となっている。接合レンズＣ１は、図３（ａ）のレンズ保持機構に示すように物体側より順に像側へ正レンズ（物体側正レンズ）１と負レンズ（像側負レンズ）２とを接合して構成されている。像側負レンズ２の外径は物体側正レンズ１よりも大きい。接合レンズＣ１は、物体側正レンズ１の外周よりも外側に位置し、光軸方向の位置決めを行う位置決め部としての２つの平面部５、６を保持部材としての鏡筒（レンズ保持枠）４と押さえ環３で物体側と像側の両側から挟み込むことで、光軸方向の保持を行っている。
【００３９】
尚、鏡筒４による接合レンズＣ１の径方向の保持は、像側負レンズ２の外周の平面部７を鏡筒４の内周面に突き当てることで決定保持している。接合レンズＣ２は図３（ｂ）に示すように、物体側より像側へ順に正レンズ（物体側正レンズ）１と負レンズ（像側負レンズ）２とを接合して構成されている。像側負レンズ２の外径は物体側正レンズ１よりも大きい。接合レンズＣ２は物体側正レンズ１の外周よりも外側で光軸方向に位置する負レンズ２の物体側の平面部５を鏡筒４の突き当て部４ａに突き当てている。そして鏡筒４の一部の加締め爪８を熱変形させて負レンズ２の像側の位置決め部としての平面部６に掛けることで光軸方向の保持を行っている。ここで突き当て部４ａと加締め爪８は平面部５、６を物体側と像側の両側から挟み込むことで保持する保持部材である。
【００４０】
尚、鏡筒４による接合レンズＣ２の径方向の保持は、像側負レンズ２の外周の平面部７を鏡筒３の内周面に突き当てることで決定している。
【００４１】
本実施例において２つの平面部５、６は光軸方向に間隔を隔てて２つあり、互いに平行である。尚、本実施例において正レンズ１と負レンズ２の順番は逆であっても良い。このとき像側正レンズの外周部が鏡筒によって保持されることになる。
【００４２】
本実施例では、以上のようにして、軸上光線高ｈが小さい像側レンズに保持応力を集中させている。これにより、レンズ周辺光束への影響を小さくすると同時に、像側レンズの光線有効径からレンズ外径までに余裕を持たせ、応力による複屈折の影響が光線有効径内に及びにくくしている。
【００４３】
また、接合レンズＣ１における平面部５、６、接合レンズＣ２における平面部５、６は、お互い平行平面部となっており、その面間隔と接合レンズの中心肉厚の関係が、共に条件式（３）を満たしている。それにより、硝子（材料）の内径方向への応力成分を軽減し、光線有効部内の複屈折の発生をより軽減することができ、それと同時に硝子（材料）部品の軽量化を図っている。また、各接合レンズＣ１，Ｃ２における、物体側正レンズの光入射面径と光入出射面の最周辺部の光軸方向の厚みの関係が、共に条件式（４）を満たしている。それにより、応力による複屈折量を軽減すると共に、硝子材料の軽量化を図っている。
【００４４】
次に、通常、テレフォトタイプの光学系では負の屈折力の第２レンズ群Ｌ２が像側へフォーカシング駆動した際、球面収差がオーバー側に変動する。これに対して、実施形態１の接合レンズＣ１では軸上光線高ｈが大きい物体側に正レンズを配置してアンダー側の補正効果を強め、全フォーカス域で高い光学性能を達成している。
【００４５】
［実施例２］
図４に示す実施例２の光学系は、実施例１と同様である。即ち、物体側より像側へ順に、正の屈折力の第１レンズ群Ｌ１、フォーカシングで像側に駆動する負の屈折力の第２レンズ群Ｌ２、正の屈折力の第３レンズ群Ｌ３の順に構成される、テレフォトタイプの望遠レンズである。実施例２では、Ｌｔｏｔａｌ／ｆ＝０．８１と条件式（２）を満たしており、小型軽量化と高性能化を図っている。
【００４６】
第２レンズ群Ｌ２を構成する接合レンズＣ１、及び第３レンズ群Ｌ３内の接合レンズＣ２は、本発明に係る方法でレンズ保持枠に保持されている。接合レンズＣ１は光路中のＬ／ｆ＝０．４８の位置に配置され、接合レンズＣ２は光路中のＬ／ｆ＝０．２９の位置に配置され、共に条件式（１）を満たしている。そのため、各々の接合レンズＣ１，Ｃ２における軸上光線高ｈが、光線有効径の９割以上となっており、軸上光束のレンズ周辺を通る光線の結像位置がばらつき易い条件となっている。接合レンズＣ１に関しては、図６（ａ）に示すように実施例１と同様の構成を採用しており、その効果も同様となっている。
【００４７】
接合レンズＣ２は、物体側より像側へ順に負レンズ，正レンズの順となっており、図６（ｂ）に示すように、像側正レンズ２の外径が物体側の負レンズ１よりも大きい。接合レンズＣ２は物体側負レンズ１よりも外側に位置し、光軸方向の位置決めを行う位置決め部としての平面部５を鏡筒４の突き当て部４ａに突き当てている。そして鏡筒４の一部の加締め爪８を熱変形させて正レンズ２の像側の位置決め部としての平面部６に掛けることで光軸方向の保持を行っている。
【００４８】
尚、鏡筒４による接合レンズＣ２の径方向の保持は、像側正レンズ２の外周の平面部７を鏡筒４の内周面に突き当てることで決定している。それにより、軸上光線高ｈが小さい像側正レンズ２に保持応力を集中させている。これによりレンズ周辺光束への影響を小さくすると同時に、像側正レンズ２の光線有効径からレンズ外径までに余裕を持たせ、応力による複屈折の影響が光線有効径内に及びにくくしている。また、像側正レンズ２の２つの平面部５，６は平行平面部となっており、その間隔と接合レンズＣ２の中心肉厚の関係は、条件式（３）を満たしている。それにより、硝子（材料）の内径方向への応力成分がなくなり、光線有効部内の複屈折の発生をより軽減することができ、それと同時に硝子（材料）部品の軽量化を図っている。
【００４９】
このように、本実施例では物体側から像側へ順に、負レンズと正レンズの接合レンズであっても、本発明の効果を得ることができる。
【００５０】
［実施例３］
図７に示す実施例３の光学系では、物体側より像側へ順に、正の屈折力の第１レンズ群Ｌ１、負の屈折力の第２レンズ群Ｌ２、正の屈折力の第３レンズ群Ｌ３、負の屈折力の第４レンズ群Ｌ４を有する。更に正の屈折力の第５レンズ群Ｌ５、負の屈折力の第６レンズ群Ｌ６、正の屈折力の第７レンズ群Ｌ７より構成される７群の望遠型のズームレンズである。広角端から望遠端へのズーミングにおいて、矢印の如く第１，第３，第６レンズ群Ｌ１，Ｌ３，Ｌ６が物体側へ移動し、第４レンズ群Ｌ４が像側へ移動する。第２，第５，第７レンズ群Ｌ２，Ｌ５，Ｌ７はズーミングのためには不動である。
【００５１】
本実施例の光学系は、望遠端における撮影半画角が４．２度の望遠型のズームレンズである。実施例３では、望遠端のズーム位置においてＬｔｏｔａｌ／ｆ＝０．８０と条件式（２）を満たしており、小型軽量化と高性能化を図っている。実施例３において、第１レンズ群Ｌ１内の接合レンズＣ１と、第２レンズ群Ｌ２内の接合レンズＣ２は本発明に係る方法でレンズ保持枠に保持されている。それぞれの接合レンズは、望遠端のズーム位置において、接合レンズＣ１が光路中のＬ／ｆ＝０．７８の位置に配置され、接合レンズＣ２が光路中のＬ／ｆ＝０．５４の位置に配置され、共に条件式（１）を満たしている。
【００５２】
そのため、それぞれの接合レンズＣ１，Ｃ２における望遠端のズーム位置での軸上光線高ｈが、光線有効径の９割以上となっており、軸上光束の瞳周辺を通る光線の結像位置がばらつき易い条件となっている。接合レンズＣ１の保持方法は、図９（ａ）に示すように、実施例１及び実施例２と同様である。図９（ａ）の保持方法では、図３（ｂ）の接合レンズＣ２の保持方法に比べて接合レンズＣ２の鏡筒３への挿入方法が逆になっている点が異なっているだけである。
【００５３】
接合レンズＣ２は、図９（ｂ）に示すように、像側負レンズ２の平面部５を鏡筒４の突き当て部４ａに突き当て、更に負レンズ９を負レンズ２の平面部６に突き当て、負レンズ９の像側を鏡筒４の加締め爪８で押さえる構成としている。平面部５と平面部６は平行平面部となっている。接合レンズＣ２の保持は平面部５と平面部６を挟み込むように行われており、やはり実施例１及び実施例２と同等の効果を得ている。このように、ズームレンズの望遠端のズーム位置においても、本発明の効果を得ることができる。
【００５４】
以上、本発明の好ましい光学系の実施例について説明したが、本発明はこれらの実施例に限定されないことは言うまでもなく、その要旨の範囲内で種々の変形及び変更が可能である。
【００５５】
次に、各実施例に各々対応する数値実施例１〜３を示す。各数値実施例においてｉは物体側からの光学面の順序を示し、ｒｉは第ｉ番目の光学面（第ｉ面）の曲率半径、ｄｉは第ｉ面と第ｉ＋１面との間の間隔、ｎｄｉとνｄｉはそれぞれｄ線に対する第ｉ番目の光学部材の材料の屈折率、アッベ数を示す。また、焦点距離、Ｆナンバー等のスペックに加え、画角は全系の半画角、像高は半画角を決定する最大像高、レンズ全長は第１レンズ面から像面までの距離、ＢＦは最終レンズ面から像面までの長さを示している。
【００５６】
また、数値実施例３において、各光学面の間隔ｄが（可変）となっている部分は、ズーミングに際して変化するものであり、別表に焦点距離に応じた面間隔を記している。
尚、以下に記載する数値実施例１〜３のレンズデータに基づく、各条件式の計算結果を表１に示す。
【００５７】
（数値実施例1）
単位 mm
面データ
面番号       r        d      nd         νd       有効径
1        302.145   16.85   1.48749    70.2      135.31
2       -439.426   22.74                        134.71
3        133.921   23.10   1.43387    95.1      118.64
4       -348.061    0.13                        116.20
5       -339.367    4.30   1.65412    39.7      116.20
6        236.146   29.16                        109.53
7         82.605   15.28   1.43387    95.1       94.89
8        380.565    1.00                         92.78
9         65.968    6.00   1.48749    70.2       81.91
10         49.683   29.03                         73.32
11       4862.721    6.72   1.80809    22.8       64.59
12       -141.662    2.60   1.80610    40.7       63.49
13        113.588   86.23                         59.76
14(絞り)    ∞       2.04                         41.39
15        137.526    8.07   1.77250    49.6       40.60
16        -67.088    2.05   1.80518    25.4       39.68
17       -308.914    5.97                         38.62
18         83.839    4.48   1.84666    23.8       34.77
19       -126.211    1.71   1.72916    54.7       34.39
20         44.290    4.41                         32.64
21       -183.415    1.63   1.83481    42.7       32.67
22         69.289    3.51                         33.18
23         83.969    4.56   1.77250    49.6       35.51
24       -481.588   10.16                         35.89
25         63.420    8.29   1.65412    39.7       39.13
26        -97.491    1.91   1.80809    22.8       38.76
27        156.214    5.29                         38.40
28          ∞       2.20   1.51633    64.1       38.70
29          ∞                                    38.81
各種データ
焦点距離     392.39  
Fナンバー      2.90  
画角           3.16  
像高          21.64  
レンズ全長   370.71  
BF            61.28  
ズームレンズ群データ
群  始面    焦点距離  レンズ構成長  前側主点位置  後側主点位置
1    1     208.49       118.56        12.14        -81.30
2   11    -144.71         9.32         5.29          0.13
3   14     384.03        66.29       -12.42        -63.84
【００５８】
（数値実施例２）
単位 mm
面データ
面番号       r        d      nd         νd       有効径
1        331.299   15.10   1.48749    70.2      141.97
2       -698.860   44.37                        141.42
3        160.224   19.00   1.43387    95.1      122.37
4       -634.734    0.41                        120.51
5       -556.300    4.50   1.65412    39.7      120.50
6        276.476   45.32                        115.49
7         93.942   14.23   1.43387    95.1       98.57
8        395.355    1.00                         96.70
9         82.615    5.30   1.48749    70.2       88.69
10         61.070   46.72                         81.52
11        637.682    5.99   1.80809    22.8       64.41
12       -272.868    2.80   1.88300    40.8       63.29
13        146.588   97.26                         60.84
14(絞り)    ∞       5.82                         40.52
15        154.638    2.00   1.80610    33.3       38.99
16         63.649    7.03   1.59282    68.6       38.13
17       -234.143   12.76                         37.53
18         87.560    3.86   1.84666    23.8       32.05
19       -444.007    1.65   1.62041    60.3       31.63
20         42.018    3.99                         30.48
21       -133.996    1.60   1.81600    46.6       30.50
22        113.702    5.00                         31.03
23         91.366    3.20   1.65412    39.7       33.93
24      -1021.757   10.91                         34.15
25         88.375    7.49   1.72047    34.7       37.12
26        -74.187    1.91   1.80809    22.8       36.96
27        296.105   10.00                         36.86
28          ∞       2.20   1.51633    64.1       45.00
29          ∞                                    45.00
各種データ
焦点距離     584.90  
Fナンバー      4.12  
画角           2.12  
像高          21.64  
レンズ全長   475.88  
BF            94.46  
ズームレンズ群データ
群  始面    焦点距離  レンズ構成長  前側主点位置  後側主点位置
1    1     270.91       149.24        30.00       -101.98
2   11    -200.18         8.79         5.97          1.14
3   14     1625.81        79.42        11.00        -59.54
【００５９】
（数値実施例３）
面データ
面番号       r        d      nd         νd       有効径
1        129.190    6.01   1.48749    70.2       53.00
2       -197.870    0.15                         52.80
3        106.656    8.24   1.43875    94.9       50.39
4       -127.775    2.40   1.61340    44.3       49.08
5        262.140  (可変)                         47.00
6        183.157    4.37   1.80518    25.4       25.75
7        -43.972    1.20   1.71300    53.9       24.81
8         47.602    3.12                         23.31
9        -49.900    1.20   1.83481    42.7       23.26
10        212.970  (可変)                         25.40
11        125.359    1.20   1.80518    25.4       25.40
12         40.994    4.46   1.60311    60.6       25.64
13        -68.824    0.15                         25.74
14         47.854    3.31   1.49700    81.5       25.48
15       -237.275    1.00                         25.18
16(絞り)    ∞     (可変)                         24.60
17        -42.550    1.20   1.57135    53.0       22.40
18         47.732    2.25   1.84666    23.8       22.88
19        164.018  (可変)                         22.80
20       -126.107    2.73   1.74950    35.3       24.40
21        -38.896    0.15                         24.91
22        108.304    4.60   1.48749    70.2       24.91
23        -31.051    1.00   1.84666    23.8       24.82
24       -131.207    0.15                         25.00
25         56.635    3.17   1.51633    64.1       25.28
26       -187.996  (可変)                         25.00
27       -139.768    1.10   1.83400    37.2       25.00
28         46.843    3.69                         24.17
29         77.820    5.40   1.80518    25.4       25.81
30        -39.907    4.90                         26.07
31        -33.492    1.10   1.83481    42.7       24.37
32         75.079  (可変)                         25.13
33         43.379    3.41   1.48749    70.2       33.40
34        116.452                                 33.51
各種データ
ズーム比      4.02 
広角     中間     望遠
焦点距離      72.20   134.99   289.95  
Fナンバー      4.09     4.47     5.92  
画角          16.68     9.11     4.27  
像高          21.64    21.64    21.64  
レンズ全長   178.05   210.65   232.33  
BF            39.65    39.65    39.65  
d 5            4.01    36.49    58.01  
d10           22.79    14.54     1.28  
d16            3.62    17.87    43.13  
d19           20.43    14.43     2.43  
d26           11.60     8.78     1.23  
d32            4.27     7.18    14.76  
ズームレンズ群データ
群  始面    焦点距離  レンズ構成長  前側主点位置  後側主点位置
1    1     146.02        16.80        -1.81        -12.88
2    6     -34.23         9.89         6.03         -0.93
3   11      44.52        10.12         3.40         -3.46
4   17     -77.74         3.45         0.45         -1.52
5   20      41.25        11.80         3.57         -4.12
6   27     -34.77        16.20         8.09         -3.09
7   33     139.67         3.41        -1.34         -3.60
【００６０】
【表１】
0005709433.tif 000002
【符号の説明】
【００６１】
ＳＰ：絞り    ＩＰ：撮像面    Ｌ１〜Ｌ７：第１レンズ群〜第７レンズ群
Ｆｏｃｕｓ：フォーカシングで移動する群と、その移動方向    Ｃ１、Ｃ２：接合レンズ
【図１】
0005709433.tif 000003
【図２】
0005709433.tif 000004
【図３】
0005709433.tif 000005
【図４】
0005709433.tif 000006
【図５】
0005709433.tif 000007
【図６】
0005709433.tif 000008
【図７】
0005709433.tif 000009
【図８】
0005709433.tif 000010
【図９】
0005709433.tif 000011
【図１０】
0005709433.tif 000012